(57)【要約】【課題】  従来下水などに排出されていた水冷式のソフトクリーム製造機またはアイスクリーム製造機などの器機からの冷却水と、降った雨水を集水し中水として再利用する冷却水及び雨水利用システムを提供することを目的とする。【解決手段】  降った雨水とソフトクリーム製造機やアイスクリーム製造機などの器機から排出される冷却水を貯水する貯水槽と貯水槽に流入する水を濾過するための濾過装置と雨水を貯水槽に流入させる雨水流入管と、ソフトクリーム製造機やアイスクリーム製造機などの器機から排出される冷却水を貯水槽に流入させる冷却水流入管と前記貯水槽に貯まった水を再利用機器へ供給する。これにより、水資源や経済的負担を軽減することができる。【選択図】図１
2006057434.tif 000002
【特許請求の範囲】
【請求項１】
雨水とソフトクリーム製造機やアイスクリーム製造機などの器機から排出される冷却水を貯水する貯水槽と貯水槽に流入する水を濾過するための濾過装置と雨水を前記貯水槽に流入させる雨水流入管と、前記ソフトクリーム製造機やアイスクリーム製造機などの器機から排出される冷却水を前記貯水槽に流入させる冷却水流入管と前記貯水槽に貯まった水を再利用機器へ供給するための送水ポンプと前記送水ポンプに接続される供給管を有した冷却水及び雨水利用システム。
【請求項２】
請求項１記載の冷却水及び雨水利用システムにおいて、さらにソフトクリーム製造機やアイスクリーム製造機などの器機から排出される冷却水を貯水する冷却水貯水槽と前記冷却水貯水槽から雨水とソフトクリーム製造機やアイスクリーム製造機などの器機から排出される冷却水を貯水する貯水槽へ供給する冷却水送水ポンプと前記冷却水送水ポンプに接続される冷却水給水管を設けた冷却水及び雨水利用システム。
【請求項３】
請求項２記載の冷却水及び雨水利用システムにおいて、さらに冷却水送水ポンプの運転を制御する制御部を設けた冷却水及び雨水利用システム。
【発明の詳細な説明】
【技術分野】
【０００１】  本発明はソフトクリーム製造機やアイスクリーム製造機などの器機から排出される冷却水と、降った雨水を貯水し、便器洗浄水や散水などとして水を再利用する水の再利用システムに関するものである。
【技術背景】
【０００２】  従来、水冷式のソフトクリーム製造機やアイスクリーム製造機などの器機から排出された冷却水は、下水に排出される。しかしながら水道水で熱交換を行っただけの前記冷却水をそのまま下水に排出することは水資源の負担、経済的な観点から好ましくない。
【０００３】  雨水利用システムに関して、屋根に降った雨水を濾過、集水し、貯水して便器洗浄水や散水などの中水利用ができる雨水利用システムがある（例えば特許公開２００１−１３２０２２号参照。）。
【発明の開示】
【発明が解決しようとする課題】
【０００４】  上記のようにソフトクリーム製造機やアイスクリーム製造機などの器機の冷却水を下水に排出してしまうのは水資源や経済的な負担になってしまう。また、雨水利用システムは長い期間雨が降らない場合水資源の有効利用ができないという問題がある。【０００５】  本発明は、上記のような問題点を解決しようとするものであり、水資源や経済的負担の軽減する為の冷却水及び雨水利用システムを実現することを目的としている。
【課題を解決するための手段】
【０００６】  本発明は上記目的を達成するために雨水とソフトクリーム製造機やアイスクリーム製造機などの器機から排出される冷却水を貯水する貯水槽と流入する水を濾過するための濾過装置と雨水を前記貯水槽に流入させる雨水流入管と、前記ソフトクリーム製造機やアイスクリーム製造機などの器機から排出される冷却水を前記貯水槽に流入させる冷却水流入管と前記貯水槽に貯まった水を再利用機器へ供給するための送水ポンプと前記送水ポンプに接続される供給管を有した冷却水及び雨水利用システムである。【０００７】  貯水槽がソフトクリーム製造機やアイスクリーム製造機などの器機よりも高い位置に設置されている場合はソフトクリーム製造機やアイスクリーム製造機などの器機から排出される冷却水をポンプなどで送水する必要がある。【０００８】  そこで、請求項２に記載している発明で、ソフトクリーム製造機やアイスクリーム製造機などの器機から排出される冷却水を貯水する冷却水貯水槽と前記冷却水貯水槽から雨水と、ソフトクリーム製造機やアイスクリーム製造機などの器機から排出される冷却水を貯水する貯水槽へ供給する冷却水送水ポンプと、前記冷却水送水ポンプに接続される冷却水給水管を設けた。【０００９】  また、ソフトクリーム製造機やアイスクリーム製造機などの器機の冷却水の排出量は一定量ではなく断続的に排出されることから一時的に、排出された冷却水を貯水し、貯水槽に供給する必要がある。【００１０】  そこで、冷却水貯水槽に所定量の冷却水が貯水されると冷却水送水ポンプが運転を開始し、冷却水及び雨水利用貯水槽に送水するような冷却水送水ポンプの運転を制御する制御部を設けた。【００１１】  上記の解決手段による作用としては、冷却水を再利用することで従来下水に排出していたものを便器洗浄水や散水等の中水として有効利用することができ、水資源や経済的負担を軽減することができる。また、前記冷却水の再利用だけでなく雨水を有効利用することにより、冷却水再利用のみや雨水利用のみの場合よりもさらに効率を上げることができる。
【発明の効果】
【００１２】  上述したように本発明の冷却水及び雨水利用システムは本来下水に排出されていた冷却水の再利用と共に雨水の利用を行うことで、冷却水再利用のみや雨水利用のみの場合よりも効率よく有効利用することができ、水資源や経済的負担の軽減が可能な冷却水及び雨水利用システムを提供することができる。
【発明の実施するための最良の形態】
【００１３】  次に本発明の実施の形態を図１に基づいて説明する。
【００１４】  図１は、本発明の第１の実施例である。建物の屋根ａには屋根に降った雨水を集めて流すための雨樋１ａが屋根ａの下端に沿って設けられている。雨樋１ａは雨水導入管２に接続されている。雨水導入管２には冷却水及び雨水貯水槽３に接続されている。雨水導入管２の途中には雨水濾過装置３ａが接続されている。
【００１５】  ソフトクリーム製造機やアイスクリーム製造機などの器機８から排出された冷却水を流すための冷却水流入管７が冷却水及び雨水貯水槽３に接続されている。
【００１６】  冷却水及び雨水貯水槽３は所定の最高水位を超えた場合、貯水槽内の水をオーバーフローさせて排水させるオーバフロー管５が取り付けられている。オーバーフロー管５の取り付け位置は冷却水及び雨水貯水槽３の所定の最高水位の位置に取り付けられている。オーバーフローした水は側溝６などに排出される。
【００１７】  また、冷却水及び雨水貯水槽３には自動弁開閉装置３ｂが設けられており、水位が使用により減り、所定の最低水位より低くなると、弁開閉装置３ｃが自動的に作動して、不足する水を水道水から供給し、所定の最低水位より水位が高くなると、自動的に水道水の供給を停止する。自動開閉装置３ｂの制御には様々な方法が考えられるが、例えばフロートの浮力を利用した、自動弁開閉装置を用いることができる。その場合、自動弁開閉装置のフロートが水位と共に上昇すると弁開閉装置３ｃを閉じて水道水の供給を停止し、フロートが水位と共に下降すると水道水を開始する。
【００１８】  冷却水及び雨水貯水槽には貯水した水を例えば便器の洗浄水などとして供給するための供給管４が設けられている。供給管４の途中には再利用水送水ポンプ４ａが接続されている。供給管４は途中で分岐して接続部及び開閉弁などを介し、便器４ｂに接続されたり、散水などするために設けられた散水栓４ｃに接続されている。
【００１９】  再利用水送水ポンプ４ａの動作、停止の制御については様々の方法が考えられるが、例えば圧力検知式のポンプを用いることができる。この場合、ポンプ停止時は、便器４ｂの弁及び散水栓４ｃが閉じていることにより再利用水送水ポンプ４ａから先の供給管４内の圧力が高圧力状態となる。便器４ｂの弁または散水栓４ｃが開き、再利用水送水ポンプ４ａから先の供給管４内の圧力が低下すると圧力低下を検知した再利用水送水ポンプは作動を開始する。
【００２０】  図２は図１で説明したシステムにおいて、ソフトクリーム製造機やアイスクリーム製造機などの器機８から排出される冷却水を流すための冷却水流入管８ａと冷却水を貯水する冷却水貯水槽９と冷却水及び雨水貯水槽に送水するための冷却水送水ポンプ９ａと冷却水及び雨水貯水槽３に供給するための冷却水給水管９ｃと冷却水送水ポンプ９ａの作動を制御する制御部９ｂを加えた場合の実施例である。
【００２１】  建物の屋根ａには屋根に降った雨水を集めて流すための雨樋１ａが屋根ａの下端に沿って設けられている。雨樋１ａは雨水導入管２に接続されている。雨水導入管２は冷却水及び雨水貯水槽３の中に設けられている雨水濾過装置３ａに接続されている。雨水濾過装置を通った雨水は冷却水及び雨水貯水槽３に貯水される。
【００２２】  冷却水及び雨水貯水槽３は所定の最高水位を超えた場合、貯水槽内の水をオーバーフローさせて排水させるオーバフロー管７が取り付けられている。オーバーフロー管７の取り付け位置は冷却水及び雨水貯水槽３の所定の最高水位の位置に取り付けられている。オーバーフローした水は側溝６などに排出される。
【００２３】  冷却水及び雨水貯水槽３の底面部には排水口が設けられ、排水口には排水管５ａが接続されている。排水管５の途中には開閉弁５ａが設けられている。
【００２４】  また、冷却水及び雨水貯水槽３には自動弁開閉装置３ｂが設けられており、水位が使用により減り、所定の最低水位より低くなると、弁開閉装置３ｃが自動的に作動して、不足する水を水道水から供給し、所定の最低水位より水位が高くなると、自動的に水道水の供給を停止する。自動開閉装置３ｂの制御には様々な方法が考えられるが、例えばフロートの浮力を利用した、自動弁開閉装置を用いることができる。その場合、自動弁開閉装置のフロートが水位と共に上昇すると弁開閉装置３ｃを閉じて水道水の供給を停止し、フロートが水位と共に下降すると水道水を開始する。
【００２５】  ソフトクリーム製造機またはアイスクリーム製造機などの器機８は冷却水排出管８ａに接続されている。冷却水排出管８ａは冷却水貯水槽９に接続されている。
【００２６】  冷却水貯水槽９には冷却水送水ポンプ９ａと冷却水送水ポンプ９ａの運転を制御する制御部９ｂが設けられている。ソフトクリーム製造機またはアイスクリーム製造機などの器機８から排出される冷却水が冷却水貯水槽９に貯水され、制御部９が所定の水位を検知すると冷却水送水ポンプ９ａを作動し、冷却水送水管９ｃを通って冷却水、雨水貯水槽３に送水する。冷却水送水ポンプ９ａは冷却水貯水槽９の水位が所定の位置になると停止するようになっている。
【００２７】  また、冷却水貯水槽９にはオーバーフロー管１１が設けられており、送水ポンプ９ａが何らかの原因で作動しなかった場合冷却水をオーバーフローさせて側溝６などに排水させるようになっている。
【００２８】  冷却水、雨水貯水槽にはタンク内の水を例えばトイレの排水などとして供給するための供給管４が設けられている。供給管４の途中には再利用水送水ポンプ４ｃが接続されている。供給管４は途中で分岐して接続部及び開閉弁などを介し、便器４ａに接続されたり、散水などするために設けられた散水栓４ｂに接続されている。
【００２９】  再利用水送水ポンプ４ａの動作、停止の制御については様々の方法が考えられるが、例えば圧力検知式のポンプを用いることができる。この場合、ポンプ停止時は、便器４ｂの弁及び散水栓４ｃが閉じていることにより再利用水送水ポンプ４ａから先の供給管４内の圧力が高圧力状態となる。便器４ｂの弁または散水栓４ｃが開き、再利用水送水ポンプ４ａから先の供給管４内の圧力が低下すると圧力低下を検知した再利用水送水ポンプは作動を開始する。
【図面の簡単な説明】
【００３０】
【図１】冷却水及び雨水利用システムの実施例１
【図２】冷却水及び雨水利用システムの実施例２
【符号の説明】
【００３１】１    冷却水及び雨水利用システム
ａ    建物の屋根
１ａ  雨樋
２    雨水導入管
３    冷却水及び雨水貯水槽
３ａ  雨水濾過装置
３ｂ  自動開閉装置
３ｃ  弁開閉装置
４    供給管
４ａ  再利用水送水ポンプ
４ｂ  便器
４ｃ  散水栓
５    オーバーフロー管
６    側溝
７    冷却水排水管
８    ソフトクリーム製造機またはアイスクリーム製造機などの器機
９    冷却水貯水槽
９ａ  冷却水送水ポンプ
９ｂ  水位検出装置
９ｃ  冷却水送水管
１０  排水管
１１  開閉弁
【図１】
2006057434.tif 000003
【図２】
2006057434.tif 000004